(57)【要約】【課題】記録品質を損なうことなく、油を無駄なくすべり軸受に供給して潤滑を効率的に行うことができる記録装置を提供すること。【解決手段】案内軸３に摺動可能に支持されて記録ヘッドを往復移動させるためのキャリッジ１と、該キャリッジ１を該案内軸３に摺動可能に支持する軸受２と、前記軸受２と案内軸３の間の摺動面から漏れる潤滑油を吸収すると共に該軸受２に潤滑油を供給するための給油部材４と、該給油部材４を保持する保持部材５とを有し、該給油部材４を前記軸受２の両側に設けたことを特徴とする記録装置。【選択図】        図１
2005096224.tif 000002
【特許請求の範囲】
【請求項１】
案内軸に摺動可能に支持されて記録ヘッドを往復移動させるためのキャリッジと、該キャリッジを該案内軸に摺動可能に支持する軸受と、前記軸受と案内軸の間の摺動面から漏れる潤滑油を吸収すると共に該軸受に潤滑油を供給するための給油部材と、該給油部材を保持する保持部材とを有し、
前記キャリッジの下端に複数のキャリッジ部を有し、該複数のキャリッジ部の各々の下端に前記軸受を備え、各々軸受の両側に前記給油部材が接設されており、且つ該給油部材の両側に前記保持部材が設けられ、該保持部材の一端は前記キャリッジ部に固定されていることを特徴とする記録装置。
【請求項２】
案内軸に摺動可能に支持されて記録ヘッドを往復移動させるためのキャリッジと、該キャリッジを該案内軸に摺動可能に支持する軸受と、前記軸受と案内軸の間の摺動面から漏れる潤滑油を吸収すると共に該軸受に潤滑油を供給するための給油部材と、該給油部材を保持する保持部材とを有し、  
前記キャリッジの下部に油を溜める密封された空間である油溜部を有し、該油溜部には前記案内軸が挿通されており、該油溜部の両端には各々軸受を有しており、該軸受の外側に接して給油部材が設けられ、該給油部材は保持部材によって保持されていることを特徴とする記録装置。
【請求項３】
前記油溜部が、前記キャリッジの下部を加工して空洞に形成されてなることを特徴とする請求項２記載の記録装置。
【請求項４】
前記油溜部の空間の隙間であるキャリッジ壁面と案内軸表面の距離は０．１〜１．０mmの範囲であることを特徴とする請求項２又は３記載の記録装置。
【発明の詳細な説明】
【技術分野】
【０００１】
本発明は例えばインクジェットプリンタのような記録装置に関し、詳しくは、記録品質を損なうことなく、油を無駄なくすべり軸受に供給して潤滑することができる記録装置に関する。
【背景技術】
【０００２】
従来、インクジェットプリンタとしては、記録ヘッドを搭載するキャリッジが軸部材周囲を摺動するようにして往復移動する装置が知られている。摺動部には、軸部材との摩擦係数が低くなるように加工されたすべり軸受が使用され、かかるすべり軸受は樹脂や金属で構成されている。そして、すべり軸受と軸部材を円滑に摺動するために、油による潤滑を行っている。
【０００３】
潤滑の手段としては、特許文献１に記載されている装置が知られている。以下に該装置の概要を図３に基づいて説明する。
【０００４】
図３に示すように、キャリッジ５０は、案内軸５１の周囲を摺動するようにして矢印Ａの方向に移動している。キャリッジ５０の両端部にはすべり軸受５２が設けられており、案内軸５１の周囲とキャリッジ５０の間に摺動面が形成される。
【０００５】
キャリッジ５０の中央には、油を満たした給油部材５３が設けられており、油はキャリッジ５０と案内軸５１の間隙を通って、すべり軸受５２へ潤滑されるように構成されている。
【０００６】
かかる特許文献１記載の装置においては、キャリッジ５０を移動するに伴い、すべり軸受５２の外側から油が溢れることがあり、溢れた油が記録紙等の記録媒体に落ちた場合、記録品質を損なってしまう問題がある。
【０００７】
そこで、図示の装置では、キャリッジ５０の外側面から底面に溝５４を設けて、矢印Ｂの方向に油を通すようにして、溢れた油を吸油部材５５に吸収させている。
【０００８】
しかし、図示の装置では、すべり軸受５２から溢れた油は吸油部材５５に吸収され、潤滑に使用されない問題がある。
【０００９】
そこで、特許文献２、特許文献３に記載されている装置では、すべり軸受から溢れた油を給油部材に戻して、潤滑に使用できるようにして潤滑油を有効利用している。 図４に装置の概要である断面図を示す。図４において、図３と同一符号の部位は同一構成であるのでその説明を省略する。
【００１０】
給油部材５３から供給される油の一部は、すべり軸受５２を潤滑した後、給油部材５３と接している反対の端面に溢れる。溢れた油は、キャリッジ５０に設けられた溝を通って、給油部材５３に戻るようになっている。図４において、５６は給油部材５３の保持部材（ホルダー）である。  
【００１１】
しかし、給油部材５３に戻った油は、すべり軸受５２と案内軸５１との摺動部から離れた給油部材の外周上に位置するため、再度すべり軸受５２に供給されづらい欠点がある。
【特許文献１】特許第２９０１７７５号
【特許文献２】特許第２６１４３３３号
【特許文献３】特開平４−１８５３７０号
【発明の開示】
【発明が解決しようとする課題】
【００１２】
そこで、本発明の課題は、記録品質を損なうことなく、油を無駄なくすべり軸受に供給して潤滑を効率的に行うことができる記録装置を提供することを課題とする。
【課題を解決するための手段】
【００１３】
上記課題は、以下の各発明によって解決される。
【００１４】
（請求項１）案内軸に摺動可能に支持されて記録ヘッドを往復移動させるためのキャリッジと、該キャリッジを該案内軸に摺動可能に支持する軸受と、前記軸受と案内軸の間の摺動面から漏れる潤滑油を吸収すると共に該軸受に潤滑油を供給するための給油部材と、該給油部材を保持する保持部材とを有し、前記キャリッジの下端に複数のキャリッジ部を有し、該複数のキャリッジ部の各々の下端に前記軸受を備え、各々軸受の両側に前記給油部材が接設されており、且つ該給油部材の両側に前記保持部材が設けられ、該保持部材の一端は前記キャリッジ部に固定されていることを特徴とする記録装置。
【００１５】
（請求項２）案内軸に摺動可能に支持されて記録ヘッドを往復移動させるためのキャリッジと、該キャリッジを該案内軸に摺動可能に支持する軸受と、前記軸受と案内軸の間の摺動面から漏れる潤滑油を吸収すると共に該軸受に潤滑油を供給するための給油部材と、該給油部材を保持する保持部材とを有し、前記キャリッジの下部に油を溜める密封された空間である油溜部を有し、該油溜部には前記案内軸が挿通されており、該油溜部の両端には各々軸受を有しており、該軸受の外側に接して給油部材が設けられ、該給油部材は保持部材によって保持されていることを特徴とする記録装置。
【００１６】
（請求項３）前記油溜部が、前記キャリッジの下部を加工して空洞に形成されてなることを特徴とする請求項２記載の記録装置。
【００１７】
（請求項４）前記油溜部の空間の隙間であるキャリッジ壁面と案内軸表面の距離は０．１〜１．０mmの範囲であることを特徴とする請求項２又は３記載の記録装置。
【発明の効果】
【００１８】
本発明によると、記録品質を損なうことなく、油を無駄なくすべり軸受に供給して潤滑を効率的に行うことができる記録装置を提供することができる。
【発明を実施するための最良の形態】
【００１９】
以下、本発明の実施の形態について図面に基づいて説明する。
【００２０】
図１は本発明の記録装置の一例を示す断面図である。同図において、１は記録ヘッド（図示せず）を搭載したキャリッジであり、図示のように２つ（数は限定されない）のキャリッジ部１ａ，１ｂを備えている。キャリッジ部１ａ，１ｂはキャリッジ１に一体に形成されても、別部材を固定して形成してもよい。
【００２１】
図示の例では、キャリッジ部１ａ，１ｂはキャリッジ１の下端（厳密な意味で下部の端部である必要はない）に位置している。キャリッジ１とキャリッジ部１ａ，１ｂの位置関係は、例えば図示のようにキャリッジ１が上方に位置し、キャリッジ部１ａ，１ｂが下方に位置している。
【００２２】
該キャリッジ部１ａ，１ｂのそれぞれ下端には、すべり軸受２、２がそれぞれ着設されている。すべり軸受２、２を該キャリッジ部１ａ，１ｂに着設する手段は特に限定されない。
【００２３】
該キャリッジ部１ａ，１ｂの下方には案内軸３が設けられ、該キャリッジ部１ａ，１ｂはすべり軸受２、２を介して案内軸３と摺動することにより、矢印Ａの方向に移動可能に構成されている。該キャリッジ部１ａ，１ｂは案内軸３の上部に設けられる。
【００２４】
すべり軸受２、２の各々の両端（両側）には、給油部材４、４が設けられている。該給油部材４は、潤滑油を保持できる材質のものが好ましく、例えば不織布などのフェルトによって構成できる。
【００２５】
給油部材４、４は、該キャリッジ部１ａ，１ｂの下端に設けられる。図示の例では該キャリッジ部１ａ，１ｂの下端を一部切欠き、その切欠き部に丁度嵌合するように固定されている。
【００２６】
両給油部材４、４の内側は、一つのすべり軸受２の両側を挟むようにして接設しており、両給油部材４、４の外側は、保持部材５、５により挟むようにして保持され固定されている。従って、給油部材４、４は、すべり軸受２の両端に接し且つ挟んで設けられることになる。
【００２７】
給油部材４、４がすべり軸受２の両端に接し且つ挟んで設けられることで、すべり軸受２から溢れた油は両端の給油部材４、４に吸収される。
【００２８】
溢れた油は、すべり軸受２と接している箇所にて吸収されるため、再度、すべり軸受２に油を供給することが容易に行える。
【００２９】
図２は、本発明の記録装置の他の例を示す断面図である。
【００３０】
図示の装置は、一つのすべり軸受２と他のすべり軸受２の間を外から密閉した状態で、案内軸３との間にすき間（空洞ともいう）を設けて油溜部６としたものである。
【００３１】
この形態では、外から密閉する手段として、キャリッジ１の下部に案内軸３を貫通する手段を採用している。そして案内軸３とキャリッジ１の間にすき間を設けて油溜部６としている。
【００３２】
すべり軸受２から溢れた油は油溜部６に留まる。油溜部６を構成するすき間は極めて小さくすることが好ましく、例えば０．１〜１．０ｍｍであることが好ましい。
【００３３】
かかる油留部６を設けることにより、油溜部に留まった油はすべり軸受２に供給できる。また、外から密閉された油溜部６により、油がキャリッジの外に漏れて記録媒体を汚すことを防止している。
【００３４】
従って、この装置によれば、記録品質を損なうことなく、潤滑を効率的に行うことができる。また図２に示す装置によれば、給油部材４、４と案内軸３との摩擦によって、キャリッジの移動負荷が上昇するのを防止できる効果がある。
【００３５】
以上の説明では、軸受としてすべり軸受を採用しているが、軸受であれば特に限定されない。
【図面の簡単な説明】
【００３６】
【図１】本発明の記録装置の一例を示す断面図
【図２】本発明の記録装置の他の例を示す断面図
【図３】従来の記憶装置を示す断面図
【図４】従来の記憶装置を示す断面図
【符号の説明】
【００３７】
１：キャリッジ
１ａ、１ｂ：キャリッジ
２：すべり軸受
３：案内軸
４：給油部材
５：保持部材
６：油溜部
５０：キャリッジ
５１：案内軸
５２：すべり軸受
５３：給油部材
５４：溝
５５：吸油部材
５６：保持部材
【図１】
2005096224.tif 000003
【図２】
2005096224.tif 000004
【図３】
2005096224.tif 000005
【図４】
2005096224.tif 000006